(57)【特許請求の範囲】
【請求項１】
流体圧力を指針軸の回転運動に変換する内装機と、該内装機の指針軸に取り付けられた指針と、上記内装機を収容するケースと、該ケースの前面に着脱自在に取り付けられた上記指針の視認角度の変更のための目盛板兼用の前面カバーとを備え、
上記ケースと前面カバーとに、相互に嵌合可能で嵌合角度を周方向に無段階に変更可能な円筒状の内側嵌合部及び外側嵌合部をそれぞれ形成し、両嵌合部の嵌合角度の変更によって前面カバーにおける目盛の視認角度を上記指針軸の軸線の回りに無段階に変更可能とすると共に、上記指針の視認角度を変更可能とした、
ことを特徴とする目盛及び指針の視認角度を変更可能な圧力計。
【請求項２】
請求項１に記載の圧力計において、上記ケースと前面カバーとの嵌合部を所望の嵌合角度に係止させるための係止手段を有するもの。
【請求項３】
請求項１又は２に記載の圧力計において、上記指針が、上記指針軸に固定された円板と、該円板に視認角度を変更可能なるように取り付けられた針部材とからなるもの。
【請求項４】
流体圧力を指針軸の回転運動に変換する内装機と、該内装機の指針軸に取り付けられた指針と、上記内装機を収容するケースと、該ケースの前面に着脱自在に取り付けられた上記指針の視認角度の変更のための目盛板兼用の前面カバーとを備え、
上記ケースと前面カバーとに、相互に嵌合可能な円筒状の内側嵌合部及び外側嵌合部をそれぞれ形成すると共に相互に係合可能で係合位置を変更可能な凹凸をそれぞれ形成し、これらの凹凸の係合位置の変更によって前面カバーにおける目盛の視認角度を上記指針軸の軸線の回りに段階的に変更可能とすると共に、上記指針の視認角度を変更可能とした、
ことを特徴とする目盛及び指針の視認角度を変更可能な圧力計。
【請求項５】
請求項４に記載の圧力計において、上記ケース及び前面カバーの凹凸が、それぞれ、上記指針軸の軸線の回りに円環状に配設されているもの。
【請求項６】
請求項４又は５に記載の圧力計において、上記指針の視認角度を変更可能にする手段が、該指針と指針軸とに設けられた相互に係合可能で係合位置を変更可能な凹凸であるもの。
【請求項７】
請求項６に記載の圧力計において、上記指針及び指針軸における凹凸が、指針軸側においては指針取付部の外周に環状に配設され、指針側においては、上記指針取付部に嵌合する取付穴の内縁に環状に配設されているもの。
【発明の詳細な説明】
【０００１】
【発明の属する技術分野】
本発明は、目盛及び指針の視認角度を変更可能な圧力計に関するものであり、更に詳しくは、圧力計の使用角度に関係なく常に目盛及び指針を見易い角度に変更することができる、視認性に勝れた圧力計に関するものである。
【０００２】
【従来の技術】
圧力調整弁等の流体圧機器には、一般に、使用流体圧を測定するための圧力計が取り付けられる。このような圧力計を取付方式によって大別すると、例えば図１０に示す圧力計１Ａように、外周にテーパねじや平行ねじ等を切ったエア導管兼用の取付軸２を、流体圧機器に設けたねじ孔にねじ込む方式のものや、図１１に示す圧力計１Ｂのように、ケース３の複数箇所に設けた取付螺子４で流体圧機器に固定する方式のものなどがある。
【０００３】
上記圧力計１Ａ又は１Ｂを流体圧機器に取り付けた場合、図１２のＡ又はＢに圧力計１Ａに代表させて示すように、流体圧機器６の使用角度によっては該圧力計１Ａが横向きや上下逆向きとなることがあり、このような場合には目盛が非常に読みずらい。そこで通常は、目盛が上下方向を向くように圧力計１Ａの視認角度を変更している。
【０００４】
ところが、図１０に示すような圧力計１Ａにおいては、取付軸２に切ったねじがテーパねじである場合、視認角度を該取付軸２のねじ込みトルクやねじ込み位置等によって変更しなければならず、また、取付軸２に切ったねじが平行ねじである場合には、パッキンの厚さやその潰し量の大小等によって視認角度を変更しなければならないため、いずれの場合も変更作業が非常に面倒で、適正な角度に変更できないことも多い。
【０００５】
一方、図１１に示すような圧力計１Ｂにおいては、その視認角度を、取付螺子４の数に応じた角度にしか変更することができないため、該圧力計１Ｂを流体圧機器６の使用角度に応じた適正な向きに変更できる確率は非常に低い。
【０００６】
しかも、上記何れの取付方式の圧力計においても、角度の変更作業に工具類を必要とするとか、流体圧機器から一旦取り外さなければならないため、落下による精度低下や破損等の不測の事態を招き易いとか、再装着時にシール剤やシール部材等を必要とする上に、流体漏れがないことを厳重に確認しなければならないため作業が面倒である、といった多くの問題を有している。
【０００７】
【発明が解決しようとする課題】
本発明の主要な技術的課題は、流体圧機器への取付方式や取付角度等に関係なく、目盛及び指針を最も読み取り易い視認角度に簡単且つ確実に変更することができる、視認性に勝れた圧力計を提供することにある。
本発明の他の技術的課題は、目盛及び指針の角度変更作業を簡単且つ安全に行うことができる、取り扱いが簡単で作業性の良い圧力計を得ることにある。
【０００８】
【課題を解決するための手段】
上記課題を解決するため、本発明における第１の圧力計は、指針を有する内装機を収容したケースと、該ケースの前面に着脱自在に取り付けた上記指針の視認角度の変更のための目盛板兼用の前面カバーとに、相互に嵌合可能で嵌合角度を周方向に無段階に変更可能な円筒状の内側嵌合部及び外側嵌合部をそれぞれ形成し、両嵌合部の嵌合角度を変えることによって前面カバーにおける目盛の視認角度を上記指針の軸線の回りに無段階に変更可能とすると共に、上記指針の視認角度を変更可能としたことを特徴とするものである。
【０００９】
上記第１の圧力計において目盛及び指針の視認角度を変更するときは、該圧力計を流体圧機器に取り付けたまま、前面カバーのみをケースから取り外して指針の角度変更を行ったあと、該前面カバーを上記指針が目盛の零点を指す角度に取り付ければ良い。
この結果、圧力計の取付方式や取付角度等に関係なく、目盛及び指針の視認角度を見易い任意の角度に簡単且つ確実に変更することができる。また、変更作業に工具類を必要としないため、その作業が非常に簡単であり、しかも、圧力計を過って落すことがないため、衝撃による精度低下や破損等を来すこともなく、更に、圧力計を一旦取り外して再装着する必要ないため、シール剤やシール部材等を必要としないだけでなく、流体漏れなどを再チェックする必要もないなど、目盛板の角度変更作業を簡単且つ安全に行うことができるという利点がある。
【００１０】
本発明においては、上記ケースの嵌合部と前面カバーの嵌合部とを所望の嵌合角度に係止させるための係止手段を設けておくことが望ましい。
本発明の具体的な実施態様においては、上記指針が、上記指針軸に固定された円板と、該円板に角度変更可能に取り付けられた針部材とで構成されていて、該針部材の位置を変えることによって指針の視認角度を変更することができるようになっている。
【００１１】
また、本発明の第２の圧力計は、指針を有する内装機を収容したケースと、該ケースの前面に着脱自在に取り付けた上記指針の視認角度の変更のための目盛板兼用の前面カバーとに、相互に嵌合可能な円筒状の内側嵌合部及び外側嵌合部をそれぞれ形成すると共に相互に係合し合う凹凸をそれぞれ形成し、これらの凹凸の係合位置を変えることによって前面カバーにおける目盛の視認角度を段階的に変更可能とすると共に、上記指針の視認角度を変更可能としたことを特徴としている。
【００１２】
上記第２の圧力計においては、上記ケース及び前面カバーの凹凸がそれぞれ、上記指針軸の軸線の回りに環状に配設されている。
本発明において好ましくは、上記指針の視認角度を変更可能にする手段が、該指針と指針軸とに設けられた相互に係合可能で係合位置を変更可能な凹凸からなっていることである。具体的には、指針軸側の凹凸が、指針取付部の外周に環状に配設されて、指針側の凹凸が、上記指針取付部に嵌合する取付穴の内縁に環状に配設されている。
【００１３】
【発明の実施の形態】
図１乃至図３は本発明に係る圧力計の第１実施例を示すもので、この圧力計１０Ａは、流体圧力を指針軸１２の回転運動に変換する内装機１１と、該内装機１１の指針軸１２に取り付けられた指針１３と、上記内装機１１を収容するケース１４と、該ケース１４の前面に着脱自在に取り付けられた前面カバー１５とを備えている。
【００１４】
上記内装機１１は、流体圧力の導入により変形するブルドン管１７を有していて、該ブルドン管１７の変形を指針軸１２の回転運動に変換する構成のもので、ねじ止め等の適宜の取付手段によってケース１４内に取り付けられている。しかしながら内装機１１は、このようなブルドン管方式ものに限定されない。
【００１５】
上記指針１３は、上記指針軸１２に固定的に取り付けられた円板１３ａと、該円板１３ａの前面に視認角度を変更可能なるように取り付けられた針部材１３ｂとからなっている。
【００１６】
上記針部材１３ｂを円板１３ａに取り付ける手段としては、接着剤や永久磁石等を用いることができる。接着剤を用いる場合は、剥離性及び再接着性を有する接着剤を使用し、この接着剤を上記針部材１３ｂの裏面に直接塗布するか、又は粘着テープとして貼り付けるようにするのが望ましい。そしてこの場合には、上記円板１３ａ及び針部材１３ｂの材質に特に制限はなく、合成樹脂やゴムあるいは金属等の各種素材でそれらを形成することができる。
【００１７】
一方、針部材１３ｂの取付手段として永久磁石を用いる場合は、該永久磁石で針部材を形成するか、あるいは、合成樹脂やゴム又は金属等からなる針部材１３ｂの裏面に永久磁石を貼り付けるようにする。そしてこの場合には、円板１３ａを金属等の磁性材料を用いて形成することが必要である。
【００１８】
かくして円板１３ａに取り付けられた上記針部材１３ｂは、それを一旦取り外して向きを変えることにより、その視認角度を軸線Ｌの回りに３６０度無段階に変更することができる。
【００１９】
上記ケース１４は、合成樹脂又は金属等の素材によって円筒状に形成され、その前半部には前面カバー１５を取り付けるための嵌合部２０が設けられ、この嵌合部２０に前面カバー１５の嵌合部２１を嵌合させることにより、該前面カバー１５が着脱自在に取り付けられている。
【００２０】
上記前面カバー１５は、圧力目盛２２を付した目盛板を兼ねるもので、その具体的構成は次の通りである。即ち、該前面カバー１５は、中央部に円形の取付穴２５を有する不透明で円環状をした合成樹脂製の第１部材２３と、該第１部材２３の取付穴２５内に取り付けられた透明で円板形をした合成樹脂製の第２部材２４とからなっており、該第２部材２４の外周部分に上記目盛２２が付され、第１部材２３には、該目盛２２に対応する数値等の必要な文字が付されると共に、ケース１４の嵌合部２０に嵌合する上記嵌合部２１が形成されている。
【００２１】
上記第１部材２３と第２部材２４との間には、上記目盛２２に沿うように隙間２７が形成され、該隙間内に、流体の使用圧力範囲を表示する表示針２８が、目盛２２に沿って位置変更可能なるように取り付けられている。
【００２２】
上記ケース１４の嵌合部２０と前面カバー１５の嵌合部２１とは、相互の嵌合角度を円周方向に３６０度無段階に変更可能となっていて、その変更により前面カバー１５（従って目盛２２）の視認角度を、上記指針軸１２の軸線Ｌの回りに３６０度無段階に変更できるようになっている。
【００２３】
上記嵌合部２０，２１には、ケース１４と前面カバー１５とを所望の嵌合角度に固定するため、適宜の係止手段を設けておくことことが望ましい。この係止手段は、前面カバー１５を振動等によって不用意に動かないように固定できるものであればどのようなものでも良いが、例えば、両嵌合部２０，２１間の摩擦力を利用するものとか、一方の嵌合部に螺着されて締め込みにより先端が他方の嵌合部に係止する螺子とか、一方の嵌合部に形成された係止溝と他方の嵌合部に形成された係止突起とからなる係止手段等を好適に用いることができる。
【００２４】
上記構成を有する第１実施例の圧力計１０Ａにおいて、目盛２２及び指針１３の視認角度を変更するときは、該圧力計１０Ａを流体圧機器に取り付けたまま、前面カバー１５のみをケース１４から一旦取り外し、その状態で針部材１３ｂの向きを、目盛板を所望の向き（例えば上下方向）に向けたとき丁度目盛２２の０を指すような角度に変更したあと、上記前面カバー１５を、上記針部材１３ｂの指す位置に０目盛が来るような角度に取り付ける。
【００２５】
これにより、圧力計全体の角度を変えることなく、従って圧力計の取付方式や取付角度等に関係なく、上記目盛２２及び指針１３の視認角度を、最も読み取り易い任意の角度に簡単且つ確実に変更することができる。
また、上記変更作業を行う際に工具類を必要としないため、その作業が非常に簡単であり、しかも、圧力計を過って落すことがないため、衝撃による精度低下や破損等を来すこともなく、更に、圧力計を一旦取り外して再装着する必要ないため、シール剤やシール部材等を必要としないだけでなく、流体漏れなどを再チェックする必要もないなど、目盛板の角度変更作業を簡単且つ安全に行うことができる。
【００２６】
なお、図示した実施例では、ケース１４の筒壁の一部を嵌合部２０としているが、筒壁のほぼ全体を嵌合部とすることにより、該ケース１４全体が前面カバー１５の嵌合部２１内に納まるようにすることもできる。
また、ケース１４の嵌合部２０と前面カバー１５の嵌合部２１は、その何れを内側又は外側に位置させるようにしても良いが、ケース１４の嵌合部２０を内側とし、前面カバー１５の嵌合部２１を外側とするのが好ましい。
【００２７】
図４乃至図９は本発明の第２実施例を示すもので、この第２実施例の圧力計１０Ｂは、上記第１実施例の圧力計１０Ａが目盛及び指針の視認角度を無段階に変更できるようになっているのに対し、段階的に変更できるようになっている点において相違するのみで、その他の基本構成は第１実施例と実質的に同じである。従って、構成が同じ部分には第１実施例と同じ符合を付し、主要な相違点について以下に説明する。
【００２８】
即ち、この圧力計１０Ｂにおけるケース１４の先端部と、前面カバー１５の第２部材２３とには、図４及び図５から分かるように、相互に嵌合可能な円筒状の嵌合部３０，３１が、それぞれ指針軸１２の軸線Ｌを中心に形成されている。内側に嵌合するケース１４の嵌合部３０には、その外周面に係止溝３３が該嵌合部３０を取り囲むように形成され、外側に嵌合する前面カバー１５の嵌合部３１には、その先端部内側面に、上記係止溝３３に弾力的に係脱自在の係止突条３４が円周状に形成され、前面カバー１５を軸線Ｌ方向に前後動させてこれらの係止溝３３と係止突条３４とを係脱させることにより、該前面カバー１５をケース１４に対して着脱できるようにしている。
【００２９】
また、上記ケース１４側の嵌合部３０の先端には、その全周にわたってＶ字形をした凹凸３５ａ，３５ｂが円環状に交互に配設され、前面カバー１５の内面には、上記嵌合部３１より若干内側寄りの位置に、上記ケース１４先端の凹凸３５ａ，３５ｂと相互に係合し合うＶ字形の凹凸３６ａ，３６ｂが、円環状に交互に配設されている。
これらの凹凸３５ａ，３５ｂと３６ａ，３６ｂとは、前面カバー１５を取り外して回転させることにより相互の係合位置を３６０度変更することができるものであり、従ってその変更により、該前面カバー１５（従って目盛２２）の視認角度を、指針軸１２の軸線Ｌの回りに３６０度段階的に変更することができる。
上記凹凸３５ａ，３５ｂ及び３６ａ，３６ｂの形状は任意であって、例えば図６に示すような、Ｖ字形部分の両側に垂直部分とを備えたような形状の凹凸とすることもできる。
【００３０】
また、上記指針１３も、上記前面カバー１５と同様に、凹凸同士の係合によって視認角度を変更できるようになっている。
即ち、図７乃至図９に示すように、指針軸１２の先端には指針取付部１２ａが固定されていて、この指針取付部１２ａの基端部外周に、Ｖ字形の凹凸４０ａ，４０ｂが該指針取付部１２ａを取り囲むように交互に環状に配設されると共に、指針取付部１２ａの先端部外周に、先端側の溝壁４２ａが外広がり状に傾斜する係止溝４２が、該指針取付部１２ａを取り囲むように形成されている。
【００３１】
これに対して指針１３Ｂには、上記指針取付部１２ａに嵌合する取付穴４４ａを備えた筒状の嵌合部４４が形成され、該嵌合部４４における取付穴４４ａの穴縁には、その基端部側に上記凹凸４０ａ，４０ｂと係合し合うＶ字形の凹凸４１ａ，４１ｂが環状に配設されると共に、取付穴４４ａの先端部側に、上記指針取付部１２ａの係止溝４２に弾力的に係脱可能な係止突条４３が環状に形成されている。
【００３２】
従って、図７の状態から指針１３を軸線Ｌに沿って外側（図の左側）に動かすと、図８に示すように該指針１３は、係止突条４３が係止溝４２から外れると共に、凹凸同士の係合が解除された状態となって、その視認角度を変更することができる。そして、視認角度変更後に指針１３を内側（図８において右側）に動かすと、該指針１３は、係止突条４３が係止溝４２に係止すると共に凹凸同士が相互に係合する図７の位置を占める。
【００３３】
図中４５は、上記嵌合部の外周に設けられた突縁で、一定間隔で縦溝４５ａが切られており、指針１３を動かす際に指を掛けるためのものである。
【００３４】
この第２実施例の圧力計１０Ｂにおいては、前面カバー１５をケース１４から取り外し、指針１３Ｂの視認角度を上述した方法で変更したあと、該前面カバー１５を目盛２２が指針１３Ｂに応じた向きになるように角度変更してケース１４に取り付けることにより、目盛２２及び指針１３Ｂの視認角度を変更することができる。この場合の視認角度の変更は、上記凹凸３５ａ，３５ｂと３６ａ，３６ｂ及び４０ａ，４０ｂと４１ａ，４１ｂの数に応じて段階的に行われるもので、この点においては無段階の変更を可能とした上記第１実施例と相違するが、それ以外の作用効果については実質的に第１実施例と同じである。
【００３５】
【発明の効果】
このように本発明の圧力計によれば、前面カバーを目盛板として共用し、指針と共にその向きを変えられるようにしたことにより、流体圧機器への取付方式や取付角度等に関係なく、目盛及び指針を見易い視認角度に簡単且つ確実に変更することが可能となり、視認性に勝れる。
また、上記変更作業を行う際に工具類を必要としないため、その作業が非常に簡単であり、しかも、圧力計を過って落すことがないため、衝撃による精度低下や破損等を来すこともなく、更に、圧力計を一旦取り外して再装着する必要ないため、シール剤やシール部材等を必要としないだけでなく、流体漏れなどを再チェックする必要もないなど、目盛及び指針の視認角度の変更作業を簡単且つ安全に行うことができる。
【図面の簡単な説明】
【図１】本発明に係る圧力計の第１実施例を示す分解斜視図である。
【図２】図１の圧力計の組立状態での正面図である。
【図３】図２の断面図である。
【図４】本発明に係る圧力計の第２実施例を示す断面図である。
【図５】図４の要部を分解して示す拡大図である。
【図６】凹凸の他例を示す要部側面図である。
【図７】指針の拡大断面図である。
【図８】指針の取り外し状態の断面図である。
【図９】指針の背面図である。
【図１０】従来の圧力計の一例を示す斜視図である。
【図１１】従来の圧力計の他例を示す斜視図である。
【図１２】Ａ，Ｂは、従来の圧力計の異なる使用状態を示す正面図である。
【符号の説明】
１０Ａ，１０Ｂ  圧力計              １１  内装機
１２  指針軸                        １２ａ  指針取付部
１３，１３Ｂ  指針                  １３ａ  円板
１３ｂ  針部材                      １４  ケース
１５  前面カバー                    ２０，２１  嵌合部
２２  目盛
３５ａ，３５ｂ，３６ａ，３６ｂ  凹凸
４０ａ，４０ｂ，４１ａ，４１ｂ  凹凸
４４ａ  取付穴                      Ｌ  軸線
【図１】
0003756277.tif 000002
【図２】
0003756277.tif 000003
【図３】
0003756277.tif 000004
【図４】
0003756277.tif 000005
【図５】
0003756277.tif 000006
【図６】
0003756277.tif 000007
【図７】
0003756277.tif 000008
【図８】
0003756277.tif 000009
【図９】
0003756277.tif 000010
【図１０】
0003756277.tif 000011
【図１１】
0003756277.tif 000012
【図１２】
0003756277.tif 000013